(57)【要約】【課題】ヘルメットを着用したまま頭部を冷却する。【解決手段】ヘルメットＨの内側に装着して頭部を覆う帽体２に冷却材３を着脱自在に取り付けたり、帽体２を帽体本体４と後垂れ４ａで構成し、帽体本体４又は後垂れ４ａの少なくとも一方に冷却材３、３ａを着脱自在に取り付けることによって、頭頂部付近、又は後頭部付近に冷却材３、３ａを配置し、冷却材３、３ａの接触及びヘルメットＨ内空気の冷却により、頭部を冷却する。【選択図】　　　　図４
2004076223.tif 000002
【特許請求の範囲】
【請求項１】
ヘルメットの内側に装着して頭部を覆う帽体に冷却材を着脱自在に取り付けたことを特徴とするヘルメット用冷却体。
【請求項２】
帽体を帽体本体と後垂れで構成し、帽体本体又は後垂れの少なくとも一方に冷却材を着脱自在に取り付けたことを特徴とする請求項１記載のヘルメット用冷却体。
【請求項３】
帽体をメッシュ素材で形成すると共に、該帽体にメッシュ素材でポケットを形成し、該ポケット内に冷却材を収納したことを特徴とする請求項１又は２記載のヘルメット用冷却体。
【請求項４】
後垂れの表面を低光透過性の素材とすると共に、裏面をメッシュ素材としてポケット状に形成し、該後垂れ内に冷却材を収納したことを特徴とする請求項１、２又は３記載のヘルメット用冷却体。
【請求項５】
帽体の後部に保持ベルトの一端を固定すると共に、該保持ベルトの先端を帽体に着脱自在と成したことを特徴とする請求項１、２、３又は４記載のヘルメット用冷却体。
【請求項６】
帽体の外周部に装着ベルトの一端を固定すると共に、該装着ベルトの先端を、帽体の外周部における前記装着ベルトの基端部との反対位置に着脱自在と成す一方、帽体の中央側に装着ベルト挿通用のループ紐を設けたことを特徴とする請求項１、２、３、４又は５記載のヘルメット用冷却体。
【発明の詳細な説明】
【０００１】
【発明の属する技術分野】
本発明は、作業現場において着用されるヘルメットの内側に装着して、ヘルメット着用者の頭部を冷却するのに用いるヘルメット用冷却体に関する。
【０００２】
【従来の技術】
従来、建築現場、道路工事現場等の作業現場では、作業用安全帽、即ちヘルメットが着用さている。
しかし、夏期のヘルメット内は、耐えがたい程に蒸し暑くなり、作業者に過度の負担をかけるだけでなく、作業者はヘルメットを度々脱いで流れ落ちる汗を拭わなければならず、作業が度々中断して効率低下の原因となっていた。
そこで、ヘルメット本体に幾つかの孔を穿設し、通気性を確保することで内側温度の上昇を抑える様にしたものも一部提供されている。
【０００３】
【発明が解決しようとする課題】
ところが、ヘルメットは、作業者の頭部を落下物や飛来物から保護したり、転倒による頭部損傷の危険を防止又は軽減させるために、所定強度以上の耐貫通性や衝撃吸収性を備えていることが義務付けられており、このため通気孔の数、サイズに限度があり、充分な冷却効果は得られなかった。
【０００４】
【課題を解決するための手段】
本発明は、上記従来技術に基づく、ヘルメット着用時における耐えがたい蒸し暑さを解消せねばならない課題に鑑み、ヘルメットの内側に装着して頭部を覆う帽体に冷却材を着脱自在に取り付けることによって、頭頂部付近、後頭部付近等に冷却材を配置し、冷却材で人体頭部を直接冷却したり、ヘルメット内の空気を冷却する様にして、上記課題を解決する。
【０００５】
【発明の実施の形態】
以下本発明の一実施例を図面に基づいて説明する。
図１〜４に示す様に、本発明に係るヘルメット用冷却体１は、ヘルメットＨの内側に装着するものであって、ヘルメットＨ着用者の頭部を覆う帽体２の中央に冷却材３を着脱自在に取り付けるか、或いは、帽体２を帽体本体４と後垂れ４ａで構成し、帽体本体４又は後垂れ４ａの少なくとも一方に冷却材３、３ａを着脱自在に取り付けたものである。
【０００６】
以下、後垂れ４ａを有するヘルメット用冷却体１に基づき、本発明について更に詳細に説明する。
図２〜４は、後垂れ４ａを有するヘルメット用冷却体１を示す図であり、図２はヘルメットＨに装着する前で展開した状態を示す平面図、図３は同じく底面図、図４は使用状態の説明図である。
本実施例のヘルメット用冷却体１は、帽体本体４をメッシュ素材で形成し、該帽体本体４に同じくメッシュ素材でポケット５を形成すると共に、ポケット５の開口６に面ファスナー７、７ａを設けて開閉自在と成し、かかるポケット５内に冷却材３を収納している。
【０００７】
後垂れ４ａは、その表面を低光透過性の素材とすると共に、裏面をメッシュ素材としてポケット状に形成され、該後垂れ４ａの開口８に面ファスナー９、９ａを設けて開閉自在と成し、かかる後垂れ４ａ内に冷却体３ａを収納している。
又、帽体２の後部（帽体本体４の垂れ４ａ寄りの位置）には、短尺の保持ベルト１０の一端が固定され、該保持ベルト１０の先端と、後垂れ４ａの表面に面ファスナー１１、１１ａ　を設けて、保持ベルト１０の先端を帽体２に着脱自在と成している。
【０００８】
後垂れ４ａ表面の低光透過性の素材とは、日傘の様に、太陽光線を遮断可能な素材のことで、例えば通常の綿布、合成繊維布等で良い。
又、低光透過性の素材の色は、光反射性の点から、白色、銀白色等の高明度色が良い。
冷却材３、３ａは、水を含ませた高吸水性樹脂（例えば、マンナン、ガラクタン、ゼラチン、カゼイン等の天然高分子、デンプン、セルロース等を加工した半合成品、ポリビニルアルコール、ポリアクリル酸、マレイン酸共重合物等の合成品）を袋に封入し、これを予め凍らせておいて用いるもの、或いは、水を封入した易破裂性の内袋と、水と接触すると吸熱反応を開始する硝酸アンモニウム等の薬剤とを外袋に封入し、使用時に押圧力を加えて内袋を破裂させ、水と薬剤とを混合させて急速冷却させるもの等で良く、いずれの場合も市販のものを利用すれば良い。
【０００９】
帽体２のヘルメットＨへの装着手段としては、帽体２の外周部に装着ベルト１２の一端を固定し、該装着ベルト１２の先端と、帽体２の外周部における前記装着ベルト１２の基端部との反対位置に面ファスナー１３、１３ａ　を設けて、装着ベルト１２の先端を帽体２に着脱自在と成す一方、帽体２の中央側に装着ベルト１２を挿通するために用いるループ紐１４を設けている。
【００１０】
尚、保持ベルト１０の先端、並びに装着ベルト１２先端の着脱自在手段は、上記の面ファスナー１１、１１ａ　、１３、１３ａ　に限定されず、例えば雄型ホック及び雌型ホックの組合せでも良く、又ポケット５の開口６、後垂れ４ａの開口８の開閉自在手段についても同様である。
【００１１】
次に本発明に係るヘルメット用冷却体の作用について説明する。
先ず、帽体本体４のポケット５、後垂れ４ａに冷却材３、３ａを収納し、ポケット５の開口６に設けた面ファスナー７、７ａ、並びに後垂れ４ａの開口８に設けた面ファスナー９、９ａを接合して、開口６、８を閉じる。
【００１２】
次に、図４に示す様に、ループ紐１４に挿通した装着ベルト１２をヘルメットＨと、ヘルメットＨの内側頂部のクッションベルトＶとの間に通し、かかる装着ベルト１２先端の面ファスナー１３を、帽体２に設けた面ファスナー１３ａ　に接合して、帽体２をヘルメットＨに装着し、更に帽体２の後部に設けた保持ベルト１０をヘルメットＨと、ヘルメットＨの内側下部のヘッドバンドＢの間に通し、かかる保持ベルト１０先端の面ファスナー１１を、後垂れ４ａ表面の面ファスナー１１ａ　に接合して、帽体２（帽体本体４及び後垂れ４ａ）を適正位置に保持する。
【００１３】
このヘルメットＨを着用すると、着用者の頭頂部付近、後頭部及び首筋付近に冷却材３、３ａが配置され、人体に接触する冷却材３、３ａで頭部周辺を直接冷却したり、ヘルメットＨ内の空気が冷却される。
【００１４】
【発明の効果】
要するに本発明は、ヘルメットＨの内側に装着して頭部を覆う帽体２に冷却材３を着脱自在に取り付けたので、ヘルメットＨ着用者の頭部に近接配置した冷却材３で頭部やヘルメットＨ内の空気を冷却することが出来るため、特に夏期における作業者の負担を軽減して、作業効率の向上を図ることが出来る。
【００１５】
帽体２を帽体本体４と後垂れ４ａで構成し、帽体本体４又は後垂れ４ａの少なくとも一方に冷却材３、３ａを着脱自在に取り付けたので、後垂れ４ａが日除けとなって後頭部から首筋にわたる部位を直射日光から保護することが出来るだけでなく、冷却可能な範囲を広げて、冷却効果の向上を図ることが出来る。
【００１６】
目の細かな布地や厚手の布地を用いると、空気の流通や、頭部からの熱放散が阻害さて布地と頭部との間に熱がこもってしまうが、帽体２をメッシュ素材で形成したので、メッシュの網目を通して熱気が放散され、帽体２と頭部との間に熱がこもらず、又帽体２にメッシュ素材でポケット５を形成し、該ポケット５内に冷却材３を収納したので、冷却材３がメッシュの網目を通して人体に直接接触するため、上記効果と相俟って効率良く頭部を冷却することが出来る。
【００１７】
後垂れ４ａの表面を低光透過性の素材とすると共に、裏面をメッシュ素材としてポケット状に形成し、該後垂れ４ａ内に冷却材３ａを収納したので、後垂れ４ａ内に収納した冷却材３ａに日光の輻射熱が伝わらず、冷却材３ａの冷却効果を持続させることが出来る。
又、裏面がメッシュ素材であることから、網目を通して接触させた冷却材３ａで人体を直接冷却することが出来る。
【００１８】
帽体２の後部に保持ベルト１０の一端を固定すると共に、該保持ベルト１０の先端を帽体２に着脱自在と成したので、ヘルメットＨとヘッドバンドＢとの間を通した保持ベルト１０を帽体２に接合することにより、帽体２（帽体本体４及び後垂れ４ａ）を適正位置に保持することが出来る。
【００１９】
帽体２の外周部に装着ベルト１２の一端を固定すると共に、該装着ベルト１２の先端を、帽体２の外周部における前記装着ベルト１２の基端部との反対位置に着脱自在と成す一方、帽体２の中央側に装着ベルト１２挿通用のループ紐１４を設けたので、ループ紐１４に装着ベルト１２を通すことによって、帽体２は持ち上げられてヘルメットＨ内で垂れ下がらないため、ヘルメットＨを被る際に帽体２が邪魔にならず、又ループ紐１４に挿通した装着ベルト１２をヘルメットＨの内側に在るクッションベルトＶの上方に通し、かかる装着ベルト１２の先端と帽体２とを面ファスナー１３、１３ａ　で接合することによって、ヘルメットＨの内側に帽体２を簡単に位置決め固定することが出来、作業中に帽体２がずれて脱落するのを防止することが出来る等その実用的効果甚だ大である。
【図面の簡単な説明】
【図１】本発明に係るヘルメット用冷却体の平面図である。
【図２】帽体後部に後垂れを有するヘルメット用冷却体の平面図である。
【図３】同上ヘルメット用冷却体の底面図である。
【図４】同上ヘルメット用冷却体の使用状態の説明図である。
【符号の説明】
２　　　　帽体
３、３ａ　　冷却材
４　　　　帽体本体
４ａ　　　　後垂れ
５　　　　ポケット
１０　　　　保持ベルト
１２　　　　装着ベルト
１４　　　　ループ紐
【図１】
2004076223.tif 000003
【図２】
2004076223.tif 000004
【図３】
2004076223.tif 000005
【図４】
2004076223.tif 000006